【手続補正書】
【提出日】平成16年10月4日(2004.10.4)
【手続補正１】
【補正対象書類名】明細書
【補正対象項目名】特許請求の範囲
【補正方法】変更
【補正の内容】
【特許請求の範囲】
【請求項１】
部品供給位置で部品供給体から又は部品供給体から部品供給位置へ部品を搬送する部品載置装置から部品を保持して基板上の実装位置へ実装する動作と、部品供給体から部品載置装置へ部品を移載する動作を並行して行える実装設備において実装順序を決定する方法であって、部品供給体から部品を保持できるかどうかという部品収納体の種別に応じて部品を２つのグループに分割する第１工程と、部品供給体から部品を保持できるグループで部品実装順序を決定する第２工程と、部品載置装置から部品を保持するグループで部品実装順序を決定する第３工程と、第２工程のグループの部品実装順序および第３工程のグループの部品実装順序に基づき設備全体の部品実装順序を決定する第４の工程とを備えたことを特徴とする実装順序決定方法。
【請求項２】
部品供給位置に所要の部品供給体を位置させる部品供給装置と部品供給体から部品供給位置へ部品を搬送する部品載置装置とが一体的に部品供給位置に向けて移動するように構成された部品供給部を２つ備えた実装設備において実装順序を決定する方法であって、部品供給体の種別に応じて部品を２つのグループに分割する第１工程と、２つの部品載置装置のそれぞれに部品を振り分ける第２工程と、第２工程の結果をもとに２つの部品供給装置のそれぞれに部品を振り分ける第３工程と、振り分けられた各部品供給装置グループの中で実装順序を決定する第４工程と、振り分けられた各部品載置装置グループの中で実装順序を決定する第５工程と、片側の部品供給装置グループ、部品載置装置グループ、もう一方側の部品供給装置グループ、部品載置装置グループのそれぞれの実装順序に基づいて設備全体の実装順序を決定する第６工程とを備えたことを特徴とする実装順序決定方法。
【請求項３】
部品供給装置は、部品供給カセットが複数並べて搭載されるとともにその移動によって任意の部品供給カセットを部品供給位置に位置決めする部品供給テーブルから成り、部品移載装置は、周方向に複数の部品を載置可能でかつ回転可能な円板状の部品載置テーブルから成ることを特徴とする請求項１又は２記載の実装順序決定方法。
【請求項４】
請求項１記載の決定方法の工程と、請求項２記載の決定方法の工程とを備え、かつ片側の部品供給装置と部品載置装置に搭載できる部品種別数と、対象基板上で使用する部品種別数を比較して、搭載できる部品種別数の方が多いときは請求項１の決定方法を、使用する部品種別数の方が多いときは請求項２の決定方法を用いるように決定する工程を、第１工程の前に追加したことを特徴とする実装順序決定方法。
【手続補正２】
【補正対象書類名】明細書
【補正対象項目名】０００９
【補正方法】変更
【補正の内容】
【０００９】
【課題を解決するための手段】
本発明の第１発明の実装順序決定方法は、部品供給位置で部品供給体から又は部品供給体から部品供給位置へ部品を搬送する部品載置装置から部品を保持して基板上の実装位置へ実装する動作と、部品供給体から部品載置装置へ部品を移載する動作を並行して行える実装設備において実装順序を決定する方法であって、部品供給体から部品を保持できるかどうかという部品収納体の種別に応じて部品を２つのグループに分割する第１工程と、部品供給体から部品を保持できるグループで部品実装順序を決定する第２工程と、部品載置装置から部品を保持するグループで部品実装順序を決定する第３工程と、第２工程のグループの部品実装順序および第３工程のグループの部品実装順序に基づき設備全体の部品実装順序を決定する第４の工程とを備えたことを特徴とする。この第１発明を、部品供給位置で直接部品供給体から又は部品供給体から部品供給位置へ部品を搬送する部品載置装置から部品を保持して基板上の実装位置へ実装する動作と、部品供給体から部品載置装置へ部品を移載する動作を並行して行える実装設備において実装順序を決定する方法であって、部品供給体から直接部品を保持できるかどうかという部品収納体の種別に応じて部品を２つのグループに分割する第１工程と、部品供給体から直接部品を保持できるグループで部品実装順序を決定する第２工程と、部品載置装置から部品を保持するグループで部品実装順序を決定する第３工程と、最後に第２工程のグループ、第３工程のグループの順序で設備全体の部品実装順序を決定する第４の工程とを備えた構成のものとすると好適である。本願の第１発明によれば、実装順序決定を自動化することが可能となり、決定までの時間を短縮できるとともに、作業者の熟練度によらずに設備の生産性を容易に高めることができる。
【手続補正３】
【補正対象書類名】明細書
【補正対象項目名】００１０
【補正方法】変更
【補正の内容】
【００１０】
第２発明の実装順序決定方法は、部品供給位置に所要の部品供給体を位置させる部品供給装置と部品供給体から部品供給位置へ部品を搬送する部品載置装置とが一体的に部品供給位置に向けて移動するように構成された部品供給部を２つ備えた実装設備において実装順序を決定する方法であって、部品供給体の種別に応じて部品を２つのグループに分割する第１工程と、２つの部品載置装置のそれぞれに部品を振り分ける第２工程と、第２工程の結果をもとに２つの部品供給装置のそれぞれに部品を振り分ける第３工程と、振り分けられた各部品供給装置グループの中で実装順序を決定する第４工程と、振り分けられた各部品載置装置グループの中で実装順序を決定する第５工程と、片側の部品供給装置グループ、部品載置装置グループ、もう一方側の部品供給装置グループ、部品載置装置グループのそれぞれの実装順序に基づいて設備全体の実装順序を決定する第６工程とを備えたことを特徴とする。この第２発明を、部品供給位置に所要の部品供給体を位置させる部品供給装置と部品供給体から部品供給位置へ部品を搬送する部品載置装置とが一体的に部品供給位置に向けて移動するように構成された部品供給部を２つ備えた実装設備において実装順序を決定する方法であって、部品供給体の種別に応じて部品を２つのグループに分割する第１工程と、２つの部品載置装置のそれぞれに部品を振り分ける第２工程と、第２工程の結果をもとに２つの部品供給装置のそれぞれに部品を振り分ける第３工程と、振り分けられた各部品供給装置グループの中で実装順序を決定する第４工程と、振り分けられた各部品載置装置グループの中で実装順序を決定する第５工程と、最後に片側の部品供給装置グループ、部品載置装置グループ、もう一方側の部品供給装置グループ、部品載置装置グループの順番で設備全体の実装順序を決定する第６工程とを備えた構成とすると好適である。本願の第２発明によれば、一体的に移動する部品供給装置と部品載置装置とから成る部品供給部を２つ備えた実装設備において第１発明と同様の効果を発揮する。
【手続補正４】
【補正対象書類名】明細書
【補正対象項目名】００２１
【補正方法】変更
【補正の内容】
【００２１】
最後に、第４工程のステップＳ１４で、設備全体の実装順序を決定する。通常、部品リール５で供給される部品の方が、部品トレイ６で供給される部品よりＸＹテーブル１０の移動限界速度が高いので、第２工程のステップＳ２で決定したカセット使用部品グループの順番で並べて優先的に実装させるようにし、その最後に続けて第３工程のステップＳ３で決定したトレイ使用部品グループの順番で並べる。
【手続補正５】
【補正対象書類名】明細書
【補正対象項目名】００３３
【補正方法】変更
【補正の内容】
【００３３】
【発明の効果】
本発明の実装順序決定方法によれば、以上の説明から明らかなように、プリント基板に電子部品を実装する実装設備の中で、部品供給位置にて部品供給体から、もしくは部品供給位置へ部品を搬送する載置装置から部品を保持して基板上の実装位置に実装する動作と、部品供給位置ヘ部品を搬送する載置装置へ部品供給体から部品を移送する動作が並行して行える実装設備において、その実装順序の決定方法を提供することにより、コンピュータなどを用いて自動的に実装順序を決定でき、実装順序決定までの時間を短縮し、かつ作成された実装順序データは作業者の熟練度によらず、設備の生産性を容易に向上できる。